(57)【要約】【課題】この発明は、放送コンテンツを番組単位よりもさらに細かい単位に自動的に分類して録画を行なうことを可能とし、ユーザにとっての取り扱いを便利にするようにした情報録画装置及び情報録画方法を提供することを目的としている。【解決手段】番組を含む放送コンテンツを受信する受信手段２２〜２６，３５と、受信した放送コンテンツから番組情報を取得する取得手段３５，３６と、取得した番組情報に基づいて、受信した放送コンテンツを、番組単位よりも細かい単位で分類して録画する制御手段２０，３５とを備える。【選択図】      図２
2007013727.tif 000002
【特許請求の範囲】
【請求項１】
番組を含む放送コンテンツを受信する受信手段と、
前記受信手段で受信した放送コンテンツから番組情報を取得する取得手段と、
前記取得手段で取得した番組情報に基づいて、前記受信手段で受信した放送コンテンツを、番組単位よりも細かい単位で分類して録画する制御手段とを具備することを特徴とする情報録画装置。
【請求項２】
前記制御手段は、
前記取得手段で取得した番組情報に基づいて、前記受信手段で受信した放送コンテンツを、番組単位よりも細かい単位で分類するためのフォルダを作成するフォルダ作成手段と、
前記フォルダ作成手段で作成したフォルダ内に、前記取得手段で取得した番組情報に基づいて、番組単位よりも細かい単位で分類された放送コンテンツをファイルとして録画する録画手段とを具備することを特徴とする請求項１記載の情報録画装置。
【請求項３】
前記フォルダ作成手段は、前記取得手段で取得した番組情報に含まれる、番組単位よりも細かい単位で放送コンテンツを分類する名称でフォルダを作成することを特徴とする請求項２記載の情報録画装置。
【請求項４】
前記フォルダ作成手段は、前記取得手段で取得した番組情報に含まれる名称と、同じ名称を持つフォルダが存在していない場合に、該番組情報に含まれる名称でフォルダを作成することを特徴とする請求項２記載の情報録画装置。
【請求項５】
番組を含む放送コンテンツを受信する第１の工程と、
前記第１の工程で受信した放送コンテンツから番組情報を取得する第２の工程と、
前記第２の工程で取得した番組情報に基づいて、前記第１の工程で受信した放送コンテンツを、番組単位よりも細かい単位で分類して録画する第３の工程とを具備することを特徴とする情報録画方法。
【請求項６】
前記第３の工程は、
前記第２の工程で取得した番組情報に基づいて、前記第１の工程で受信した放送コンテンツを、番組単位よりも細かい単位で分類するためのフォルダを作成する第４の工程と、
前記第４の工程で作成したフォルダ内に、前記第２の工程で取得した番組情報に基づいて、番組単位よりも細かい単位で分類された放送コンテンツをファイルとして録画する第５の工程とを具備することを特徴とする請求項５記載の情報録画方法。
【請求項７】
前記第４の工程は、前記第２の工程で取得した番組情報に含まれる、番組単位よりも細かい単位で放送コンテンツを分類する名称でフォルダを作成することを特徴とする請求項６記載の情報録画方法。
【請求項８】
前記第４の工程は、前記第２の工程で取得した番組情報に含まれる名称と、同じ名称を持つフォルダが存在していない場合に、該番組情報に含まれる名称でフォルダを作成することを特徴とする請求項６記載の情報録画方法。
【発明の詳細な説明】
【技術分野】
【０００１】
この発明は、例えばテレビジョン放送番組を自動録画する情報録画装置及び情報録画方法の改良に関する。
【背景技術】
【０００２】
周知のように、近年では、テレビジョン放送のデジタル化が推進されている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
そして、このようなデジタルテレビジョン放送を受信するデジタル放送受信装置にあっては、例えばＨＤＤ（hard disk drive）のような大容量のデジタル録画機器を内蔵することにより、受信したコンテンツをデジタル録画したり、録画したコンテンツを再生したりすることが可能となっている。
【０００４】
ところで、テレビジョン放送されるコンテンツを自動録画する場合、現在では、必要な番組をＧコードを用いて予約録画する手法や、放送またはネットワーク等を介して取得したＥＰＧ（electronic program guide）情報に基づいて作成される電子番組表から、所望の番組を選択して予約録画を行なう手法等がある。
【０００５】
すなわち、現状における自動録画手段は、いずれも番組単位での録画しか行なうことができない。このため、例えば１つの番組（音楽番組）をさらに細かい単位（アーティスト別）に分類して録画したい場合には、番組を自動録画した後に、ユーザが手動で編集しなければならず、取り扱いが不便であるという問題が生じている。
【０００６】
特許文献１には、楽曲データに付加されている付加情報内の文字列から、記録先となる記録媒体内に設けられたフォルダの名称を検索し、付加情報内の文字列と一致する名称を持つフォルダを楽曲データの格納先として指定して、その楽曲データを記録するようにした構成が開示されている。
【０００７】
また、特許文献２には、復号した映像情報から番組情報を抽出し、その抽出した番組情報を、放送された時刻において有効な情報か番組記録時に必要な情報かに分類して処理することにより、番組情報を有効に活用することが可能となるようにした構成が開示されている。
【０００８】
さらに、特許文献３には、ハードディスクに既に収録されているアーティストの名称の付いたフォルダを作成表示し、または、新規にフォルダを作成し、ＣＤ（compact disk）のアーティストに対応するフォルダを選んで曲情報等のデータを入力し、ハードディスクに記録するようにした構成が開示されている。
【特許文献１】特開２００２−３５２５６０号公報
【特許文献２】特開２０００−０１３７５９号公報
【特許文献３】特開２００５−０４４４３４号公報
【発明の開示】
【発明が解決しようとする課題】
【０００９】
そこで、この発明は上記事情を考慮してなされたもので、放送コンテンツを番組単位よりもさらに細かい単位に自動的に分類して録画を行なうことを可能とし、ユーザにとっての取り扱いを便利にするようにした情報録画装置及び情報録画方法を提供することを目的とする。
【課題を解決するための手段】
【００１０】
この発明の実施の形態に係る情報録画装置は、番組を含む放送コンテンツを受信する受信手段と、受信手段で受信した放送コンテンツから番組情報を取得する取得手段と、取得手段で取得した番組情報に基づいて、受信手段で受信した放送コンテンツを、番組単位よりも細かい単位で分類して録画する制御手段とを備えるようにしたものである。
【００１１】
また、この発明の実施の形態に係る情報録画方法は、番組を含む放送コンテンツを受信する第１の工程と、第１の工程で受信した放送コンテンツから番組情報を取得する第２の工程と、第２の工程で取得した番組情報に基づいて、第１の工程で受信した放送コンテンツを、番組単位よりも細かい単位で分類して録画する第３の工程とを備えるようにしたものである。
【発明の効果】
【００１２】
上記した構成及び方法によれば、受信した放送コンテンツを、番組情報に基づいて、番組単位よりも細かい単位で分類して自動録画するようにしたので、ユーザにとっての取り扱いを便利にすることが可能となる。
【発明を実施するための最良の形態】
【００１３】
以下、この発明の実施の形態について図面を参照して詳細に説明する。図１は、この実施の形態で説明するテレビジョン放送受信装置１１の正面側の外観を示している。すなわち、このテレビジョン放送受信装置１１は、主として、装置本体となるほぼ四角形状に形成された薄型のキャビネット１２と、このキャビネット１２を起立させて支持するスタンド１３とから構成されている。
【００１４】
そして、上記キャビネット１２には、その正面に、例えば平面型液晶表示パネル等でなる映像表示器１４の表示画面１４ａが露出されるとともに、一対のスピーカ１５、操作部１６、後述するリモートコントローラ（図１では図示せず）１７から送信される操作情報を受けるための受光部１８等が配置されている。
【００１５】
また、上記スタンド１３は、ほぼ薄型の箱状に形成されており、その一方の平面である底面板１３ａを、水平に設置された所定の基台（図示せず）上に載置するように構成されている。そして、このスタンド１３は、上記基台上に載置される面と反対側の面である上面板１３ｂのほぼ中央部から上方に突出する支持部材１９が、上記キャビネット１２の背面に連結されることにより、キャビネット１２を起立させた状態で支持している。
【００１６】
ここで、上記スタンド１３は、その内部に後述するＨＤＤ部（図１では図示せず）２０を収容している。そして、このスタンド１３の上面板１３ｂには、キャビネット１２よりも正面側にせり出している部分に、ＨＤＤ部２０を録画、再生、停止状態等に制御するための、押圧操作可能な複数（図示の場合は４つ）の操作子２１が配置されている。
【００１７】
図２は、上記テレビジョン放送受信装置１１の信号処理系を概略的に示している。この信号処理系を構成する各種の回路ブロックは、主として、上記キャビネット１２の内部で背面に近い位置、つまり、上記映像表示器１４の表示画面１４ａの裏側あたりに配置されている。
【００１８】
そして、デジタルテレビジョン放送受信用のアンテナ２２で受信したデジタルテレビジョン放送信号は、入力端子２３を介してデジタルチューナ部２４に供給される。このチューナ部２４は、入力されたデジタルテレビジョン放送信号から所望のチャンネルの信号を選局し復調している。そして、このチューナ部２４から出力された信号は、デコーダ部２５に供給されて、例えばＯＦＤＭ（orthogonal frequency division multiplexing）デコード処理が施された後、セレクタ２６に供給される。
【００１９】
さらに、アナログテレビジョン放送受信用のアンテナ２７で受信したアナログテレビジョン放送信号は、入力端子２８を介してアナログチューナ部２９に供給される。このチューナ部２９は、入力されたアナログテレビジョン放送信号から所望のチャンネルの信号を選局し復調している。そして、このチューナ部２９から出力された信号は、Ａ／Ｄ（analog／digital）変換部３０によりデジタル化された後、上記セレクタ２６に出力される。
【００２０】
また、アナログ信号用の入力端子３１に供給されたアナログの映像及び音声信号は、Ａ／Ｄ変換部３２に供給されてデジタル化された後、上記セレクタ２６に出力される。さらに、デジタル信号用の入力端子３３に供給されたデジタルの映像及び音声信号は、そのまま上記セレクタ２６に供給される。
【００２１】
上記セレクタ２６は、４種類の入力デジタル映像及び音声信号から１つを選択して、信号処理部３４に供給している。この信号処理部３４は、入力されたデジタル映像信号に所定の信号処理を施して上記映像表示器１４での映像表示に供させている。この映像表示部１４としては、例えば、液晶ディスプレイやプラズマディスプレイ等でなるフラットパネルディスプレイが採用される。また、上記信号処理部３４は、入力されたデジタル音声信号に所定の信号処理を施し、アナログ化して上記スピーカ１５に出力することにより、音声再生を行なっている。
【００２２】
ここで、このテレビジョン放送受信装置１１は、上記した各種の受信動作を含む種々の動作を制御部３５によって統括的に制御されている。この制御部３５は、ＣＰＵ（central processing unit）等を内蔵したマイクロプロセッサであり、上記操作部１６や操作子２１（図２では図示せず）からの操作情報、または、上記リモートコントローラ１７から送信された操作情報を受光部１８を介して受けることにより、その操作内容が反映されるように各部をそれぞれ制御している。
【００２３】
この場合、制御部３５は、メモリ部３６を使用している。このメモリ部３６は、主として、そのＣＰＵが実行する制御プログラムを格納したＲＯＭ（read only memory）と、該ＣＰＵに作業エリアを提供するためのＲＡＭ（random access memory）と、各種の設定情報及び制御情報等が格納される不揮発性メモリとを備えている。
【００２４】
ここで、上記制御部３５は、スタンド１３内に収容されたＨＤＤ部２０と接続されている。これにより、上記テレビジョン放送受信装置１１は、セレクタ２６で選択されたデジタルの映像信号及び音声信号を、ＨＤＤ部２０により録画することができるとともに、ＨＤＤ部２０に録画されたデジタルの映像信号及び音声信号を再生し、視聴に供させることができる。
【００２５】
図３は、上記したテレビジョン放送受信装置１１が受信した放送コンテンツをＨＤＤ部２０に録画する処理動作を説明するためのフローチャートを示している。この場合、図３では、音楽専門チャンネル等を受信して音楽番組を録画する際に、アーティスト毎に楽曲を自動的に分類して録画する処理動作の一例について説明している。
【００２６】
すなわち、処理が開始（ステップＳ１）されると、制御部３５は、ステップＳ２で、録画動作が開始されたことを検知する。この録画動作の開始とは、ユーザが操作部１６やリモートコントローラ１７等を手動操作して録画動作を開始させた場合や、予約録画の開始時刻になり録画動作が開始されたことを示している。
【００２７】
すると、制御部３５は、ステップＳ３で、地上デジタル放送において各番組に付加されて送信される番組情報であるＳＩ（service information）情報から、アーティスト名及び楽曲名を示す情報を取得する。その後、制御部３５は、ステップＳ４で、取得したアーティスト名と同じアーティスト名を持つフォルダが、ＨＤＤ部２０に既に存在するか否かを判別する。
【００２８】
そして、ステップＳ３で取得したアーティスト名と同じアーティスト名のフォルダが既にＨＤＤ部２０に存在すると判断された場合（ＹＥＳ）、制御部３５は、ステップＳ５で、そのフォルダ内に、ステップＳ３で取得した楽曲名と同じ楽曲名のファイルが既に存在するか否かを判別する。
【００２９】
ここで、ステップＳ３で取得した楽曲名と同じ楽曲名のファイルが存在しないと判断された場合（ＮＯ）、制御部３５は、ステップＳ６で、ステップＳ３で取得した楽曲名をファイル名として、その楽曲に対応する映像信号及び音声信号をＨＤＤ部２０に録画する。
【００３０】
また、上記ステップＳ４で、ステップＳ３で取得したアーティスト名と同じアーティスト名のフォルダがＨＤＤ部２０に存在しないと判断された場合（ＮＯ）、制御部３５は、ステップＳ７で、ステップＳ３で取得したアーティスト名でＨＤＤ部２０に新規にフォルダを作成する。
【００３１】
その後、制御部３５は、ステップＳ６で、新規作成したフォルダ内に、そのアーティストの楽曲に対応する映像信号及び音声信号を、ステップＳ３で取得した楽曲名をファイル名として録画する。
【００３２】
このステップＳ６の後、または、上記ステップＳ５で、フォルダ内にステップＳ３で取得した楽曲名と同じ楽曲名のファイルが存在すると判断された場合（ＹＥＳ）、制御部３５は、ステップＳ８で、継続して録画を行なうか否かを判別し、録画を行なうと判断された場合（ＹＥＳ）、ステップＳ３の処理に移行し、録画を行なわないと判断された場合（ＮＯ）、処理を終了（ステップＳ９）する。
【００３３】
ここで、継続して録画を行なわない場合とは、ユーザが操作部１６やリモートコントローラ１７等を手動操作して録画動作を停止させた場合や、予約録画の終了時刻になり録画動作が停止されたことを示している。
【００３４】
図４は、上記のようにしてＨＤＤ部２０に分類録画された結果の一例を示している。図４において、「ＡＡＡ」，「ＢＢＢ」，「ＣＣＣ」等はアーティスト名を、「ａ０００」，「ａ００１」，「ａ００２」等は楽曲名を表わしている。
【００３５】
放送時には、アーティスト名や楽曲名が不規則な順序で、かつ、連続したデータとして送信されるが、図３に示したフローチャートに基づいて処理を行なうことにより、図４に示すように、アーティスト名で分類され、かつ、楽曲毎に分割されたデータとして自動的にＨＤＤ部２０に録画される。
【００３６】
上記した実施の形態によれば、ＳＩ情報からアーティスト名及び楽曲名を示す情報を取得し、アーティスト名で作成したフォルダ内に、そのアーティストの楽曲に対応する映像信号及び音声信号を、楽曲名をファイル名として録画するようにしたので、放送コンテンツを番組単位よりもさらに細かい単位に自動的に分類して録画を行なうことができ、ユーザにとっての取り扱いを便利にすることが可能となる。
【００３７】
なお、ＳＩ情報中のアーティスト名及び楽曲名等はテキストデータであり、番組や放送局の違いによって異なる表現形態となる場合がある。例えば、アーティスト名「ＡＡＡ」の場合、「Ａ  Ａ  Ａ」のように文字間にスペースが挿入されたり、「AAA」のように半角文字にされたりして放送局から送出される可能性がある。
【００３８】
この場合、図３に示したフローチャートに基づいて録画を行なうと、同じアーティストを指しているにもかかわらず、「ＡＡＡ」，「Ａ  Ａ  Ａ」，「AAA」の３種類のフォルダが作成されてしまうことになる。
【００３９】
この問題を回避するためには、録画後に、例えば、上記した３種類のフォルダ名を、次回から代表フォルダ名「ＡＡＡ」に統一して録画するように、ユーザが手動で設定を行なう機能を備えることが望ましい。
【００４０】
また、上記した実施の形態では、音楽番組の分類録画について説明したが、音楽番組に限らず、さまざまな番組の分類録画に利用することが可能である。例えば、図５に示すように、ニュース番組を「政治」、「経済」、「スポーツ」等のフォルダ名で分類し、各フォルダ内にニュースの見出しでファイル名をつけて分類録画することが考えられる。
【００４１】
さらに、フォルダ名やファイル名等は、ＳＩ情報に含まれている名称であれば利用することができる。このため、ユーザがＳＩ情報に含まれている名称の中から所望の名称を選択して、フォルダ名やファイル名に利用可能とする機能を備えることも考えられる。
【００４２】
また、上記した実施の形態では、テレビジョン放送受信装置１１を例に説明したが、この発明は、例えば、図６に示すＰＣ（personal computer）３７や、図７に示す携帯電話３８等、幅広い分野に適用することが可能である。
【００４３】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００４４】
【図１】この発明の実施の形態を示すもので、テレビジョン放送受信装置の外観を説明するために示す斜視図。
【図２】同実施の形態におけるテレビジョン放送受信装置の信号処理系を説明するために示すブロック構成図。
【図３】同実施の形態におけるテレビジョン放送受信装置の録画動作の一例を説明するために示すフローチャート。
【図４】同実施の形態におけるテレビジョン放送受信装置の録画結果の一例を説明するために示す図。
【図５】同実施の形態におけるテレビジョン放送受信装置の録画結果の他の例を説明するために示す図。
【図６】この発明が適用されるＰＣを説明するために示す図。
【図７】この発明が適用される携帯電話を説明するために示す図。
【符号の説明】
【００４５】
１１…テレビション放送受信装置、１２…キャビネット、１３…スタンド、１４…映像表示器、１５…スピーカ、１６…操作部、１７…リモートコントローラ、１８…受光部、１９…支持部材、２０…ＨＤＤ部、２１…操作子、２２…アンテナ、２３…入力端子、２４…チューナ部、２５…デコーダ部、２６…セレクタ、２７…アンテナ、２８…入力端子、２９…チューナ部、３０…Ａ／Ｄ変換部、３１…入力端子、３２…Ａ／Ｄ変換部、３３…入力端子、３４…信号処理部、３５…制御部、３６…メモリ部、３７…ＰＣ、３８…携帯電話。
【図１】
2007013727.tif 000003
【図２】
2007013727.tif 000004
【図３】
2007013727.tif 000005
【図４】
2007013727.tif 000006
【図５】
2007013727.tif 000007
【図６】
2007013727.tif 000008
【図７】
2007013727.tif 000009